(57)【要約】      （修正有）【課題】堅牢で、耐久性に優れ、切残部を簡単に且つスムーズに破断でき、開蓋操作がスムーズに行い易く、閉蓋状態が安定し、構成簡素で、量産に適し、低廉で、組立て容易で、取扱い易く、経済的な組立包装箱を提供する。【解決手段】外箱本体は、本体用正面片１ａと本体用右側面片２ａと本体用左側面片３ａと本体用背面片４ａと外底板５と内底板７とを備え、蓋体は、蓋用正面片１ｂと蓋用右側面片２ｂと蓋用左側面片３ｂと蓋用背面片４ｂと外天板６と内天板８とを備え、内箱体は、正面内板２０と右側面内板２１と左側面内板２２と内箱用背面片２３ａとを備え、左側面内板２２の前端縁上部に突出縁部２６を形成し、複数の分割切込線１４は、想定直線に対して僅かな角度で夫々交差する向きに配し、隣設する分割切込線１４の端部を結ぶ線は、蓋体の揺動方向に対して略平行となるような向きに配する。【選択図】図１
0003145804.tif 000002
【実用新案登録請求の範囲】
【請求項１】
略有底四角筒状となる外箱本体と、この外箱本体内に収容される略四角筒状の内箱体と、外箱本体の上部に切込線や破断予定線や折目線を介して連設されると共に、破断予定線を破断することにより外箱本体の上部開口部分を開閉自在な蓋体とからなる紙製の組立包装箱であって、外箱本体は、本体用正面片と、本体用右側面片と、本体用左側面片と、本体用背面片と、外底板と、内底板とを備え、蓋体は、本体用正面片の上端に切込線を介して配される蓋用正面片と、本体用右側面片の上端に破断予定線を介して連設される蓋用右側面片と、本体用左側面片の上端に破断予定線を介して連設される蓋用左側面片と、本体用背面片の上端にヒンジ部となる折目線を介して連設される蓋用背面片と、外天板と、内天板とを備え、内箱体は、正面内板と、右側面内板と、左側面内板と、本体用背面片の内側に接着される内箱用背面片とを備え、内箱体の左側面内板の前端縁上部には、蓋体の蓋用正面片内表面に当接する突出縁部を形成し、本体用右側面片と蓋用右側面片、及び本体用左側面片と蓋用左側面片を夫々連設する破断予定線は、複数の分割切込線と複数の切残部とによって構成され、複数の分割切込線は、所定の想定直線に対して僅かな角度で夫々交差するような向きに配されると共に、切残部に於ける隣設する分割切込線の端部を結ぶ線が、蓋体の揺動方向に対して略平行となるような向きに配されるよう構成したことを特徴とする組立包装箱。
【請求項２】
略有底四角筒状となる外箱本体と、この外箱本体内に収容される略四角筒状の内箱体と、外箱本体の上部に切込線や破断予定線や折目線を介して連設されると共に、破断予定線を破断することにより外箱本体の上部開口部分を開閉自在な蓋体とからなる紙製の組立包装箱であって、外箱本体は、本体用正面片と、この本体用正面片の右側縁に折目線を介して連設される本体用右側面片と、本体用正面片の左側縁に折目線を介して連設される本体用左側面片と、本体用右側面片の後端縁に折目線を介して連設される本体用背面片と、本体用正面片の下端縁に折目線を介して連設される外底板と、本体用背面片の下端縁に差込用切込線付き折目線を介して連設されると共に、外底板の内側に配される内底板と、本体用右側面片の下端縁に折目線を介して連設される折曲片と、本体用左側面片の下端縁に折目線を介して連設される折曲片と、外底板の後端縁に折目線を介して連設される差込係止片と、内底板の前端縁に折目線を介して連設される差込片とを備え、蓋体は、本体用正面片の上端に切込線を介して配される蓋用正面片と、本体用右側面片の上端に破断予定線を介して連設されると共に、蓋用正面片の右側縁に折目線を介して連設される蓋用右側面片と、本体用左側面片の上端に破断予定線を介して連設されると共に、蓋用正面片の左側縁に折目線を介して連設される蓋用左側面片と、本体用背面片の上端にヒンジ部となる折目線を介して連設されると共に、蓋用右側面片の後端縁に折目線を介して連設される蓋用背面片と、蓋用正面片の上端縁に折目線を介して連設される外天板と、蓋用背面片の上端縁に差込用切込線付き折目線を介して連設されると共に、外天板の内側に配される内天板と、蓋用右側面片の上端縁に折目線を介して連設される折曲片と、蓋用左側面片の上端縁に折目線を介して連設される折曲片と、外天板の後端縁に折目線を介して連設される差込係止片と、内天板の前端縁に折目線を介して連設される差込片とを備え、内箱体は、本体用正面片の内側に配される正面内板と、正面内板の右側縁に折目線を介して連設されると共に、本体用右側面片の内側に配される右側面内板と、正面内板の左側縁に折目線を介して連設されると共に、本体用左側面片の内側に配される左側面内板と、右側面内板の後端縁に折目線を介して連設されると共に、本体用左側面片の後端縁に折目線を介して連設されて、本体用背面片の内側に接着される内箱用背面片と、内箱用背面片の上端縁に切込線付き折目線を介して連設されると共に、右側面内板の後端縁や蓋用左側面片の後端縁に折目線を介して夫々連設されて、蓋用背面片の内側に接着される蓋用背面内片とを備え、前記差込係止片は、本体用背面片と内底板とを連設する折目線に設けた差込用切込線や、蓋用背面片と内天板とを連設する折目線に設けた差込用切込線に差込み可能に形成され、内箱体の左側面内板の前端縁上部には、蓋体の蓋用正面片内表面に当接する突出縁部を形成し、前記破断予定線は、複数の分割切込線と複数の切残部とによって構成され、複数の分割切込線は、所定の想定直線に対して僅かな角度で夫々交差するような向きに配されると共に、切残部に於ける隣設する分割切込線の端部を結ぶ線が、蓋体の揺動方向に対して略平行となるような向きに配されるよう構成したことを特徴とする組立包装箱。
【考案の詳細な説明】
【技術分野】
【０００１】
本考案は、例えば、化粧品や、薬品や、ドリンク剤や、その他の適宜商品を収納できる組立包装箱に係り、開蓋操作が行い易く、閉蓋状態が安定し、堅牢で、耐久性に優れ、外観上の体裁が良く、組立て容易で、取扱い易い組立包装箱に関するものである。
【背景技術】
【０００２】
従来、この種の組立包装箱にあっては、種々のものが提供されており、例えば、特許文献１に示すような包装用箱が開示されている。
これは、上端に折込み開閉蓋を形成した四角筒の内面にコ字形板を内装して同筒の正面及び左右両側面を二重に形成し、且つ上記正面の上部に同筒の角部折曲縦線と直交する切込みを形成し、上記左右両側面に下端が上記切込みに接続する傾斜切込みを形成し、これらの切込みの上下部を接続する点状切込み残しを形成したものである。
【０００３】
【特許文献１】実開昭５８−２７１２５号公報
【考案の開示】
【考案が解決しようとする課題】
【０００４】
そして、前述の如き包装用箱によって、外観上の体裁が良く、ある程度堅牢で耐久性の優れたものが提供されるようになった。
しかしながら、本願考案者は、これに満足することなく、より堅牢で、より耐久性の優れたものを提供できるようにすると共に、開蓋操作がより行い易く、また、閉蓋状態がより安定し、しかも、組立てが容易で、取扱い易い組立包装箱を提供できるようにすべく研究・開発を続けていたものである。
【課題を解決するための手段】
【０００５】
しかして、前述の如き課題等を達成できるようにすべく、本考案の請求項１記載の組立包装箱にあっては、略有底四角筒状となる外箱本体Ａと、この外箱本体Ａ内に収容される略四角筒状の内箱体Ｃと、外箱本体Ａの上部に切込線１３や破断予定線や折目線を介して連設されると共に、破断予定線を破断することにより外箱本体Ａの上部開口部分を開閉自在な蓋体Ｂとからなる紙製の組立包装箱であって、外箱本体Ａは、本体用正面片１ａと、本体用右側面片２ａと、本体用左側面片３ａと、本体用背面片４ａと、外底板５と、内底板７とを備え、蓋体Ｂは、本体用正面片１ａの上端に切込線１３を介して配される蓋用正面片１ｂと、本体用右側面片２ａの上端に破断予定線を介して連設される蓋用右側面片２ｂと、本体用左側面片３ａの上端に破断予定線を介して連設される蓋用左側面片３ｂと、本体用背面片４ａの上端にヒンジ部となる折目線を介して連設される蓋用背面片４ｂと、外天板６と、内天板８とを備え、内箱体Ｃは、正面内板２０と、右側面内板２１と、左側面内板２２と、本体用背面片４ａの内側に接着される内箱用背面片２３ａとを備え、内箱体Ｃの左側面内板２２の前端縁上部には、蓋体Ｂの蓋用正面片１ｂ内表面に当接する突出縁部２６を形成し、本体用右側面片２ａと蓋用右側面片２ｂ、及び本体用左側面片３ａと蓋用左側面片３ｂを夫々連設する破断予定線は、複数の分割切込線１４と複数の切残部１５とによって構成され、複数の分割切込線１４は、所定の想定直線に対して僅かな角度で夫々交差するような向きに配されると共に、切残部１５に於ける隣設する分割切込線１４の端部を結ぶ線が、蓋体Ｂの揺動方向に対して略平行となるような向きに配されるよう構成する手段を採用した。
【０００６】
また、請求項２記載の組立包装箱にあっては、略有底四角筒状となる外箱本体Ａと、この外箱本体Ａ内に収容される略四角筒状の内箱体Ｃと、外箱本体Ａの上部に切込線１３や破断予定線や折目線を介して連設されると共に、破断予定線を破断することにより外箱本体Ａの上部開口部分を開閉自在な蓋体Ｂとからなる紙製の組立包装箱であって、外箱本体Ａは、本体用正面片１ａと、この本体用正面片１ａの右側縁に折目線を介して連設される本体用右側面片２ａと、本体用正面片１ａの左側縁に折目線を介して連設される本体用左側面片３ａと、本体用右側面片２ａの後端縁に折目線を介して連設される本体用背面片４ａと、本体用正面片１ａの下端縁に折目線を介して連設される外底板５と、本体用背面片４ａの下端縁に差込用切込線１７付き折目線を介して連設されると共に、外底板５の内側に配される内底板７と、本体用右側面片２ａの下端縁に折目線を介して連設される折曲片９と、本体用左側面片３ａの下端縁に折目線を介して連設される折曲片１０と、外底板５の後端縁に折目線を介して連設される差込係止片１１と、内底板７の前端縁に折目線を介して連設される差込片１２とを備え、蓋体Ｂは、本体用正面片１ａの上端に切込線１３を介して配される蓋用正面片１ｂと、本体用右側面片２ａの上端に破断予定線を介して連設されると共に、蓋用正面片１ｂの右側縁に折目線を介して連設される蓋用右側面片２ｂと、本体用左側面片３ａの上端に破断予定線を介して連設されると共に、蓋用正面片１ｂの左側縁に折目線を介して連設される蓋用左側面片３ｂと、本体用背面片４ａの上端にヒンジ部となる折目線を介して連設されると共に、蓋用右側面片２ｂの後端縁に折目線を介して連設される蓋用背面片４ｂと、蓋用正面片１ｂの上端縁に折目線を介して連設される外天板６と、蓋用背面片４ｂの上端縁に差込用切込線１７付き折目線を介して連設されると共に、外天板６の内側に配される内天板８と、蓋用右側面片２ｂの上端縁に折目線を介して連設される折曲片９と、蓋用左側面片３ｂの上端縁に折目線を介して連設される折曲片１０と、外天板６の後端縁に折目線を介して連設される差込係止片１１と、内天板８の前端縁に折目線を介して連設される差込片１２とを備え、内箱体Ｃは、本体用正面片１ａの内側に配される正面内板２０と、正面内板２０の右側縁に折目線を介して連設されると共に、本体用右側面片２ａの内側に配される右側面内板２１と、正面内板２０の左側縁に折目線を介して連設されると共に、本体用左側面片３ａの内側に配される左側面内板２２と、右側面内板２１の後端縁に折目線を介して連設されると共に、本体用左側面片３ａの後端縁に折目線を介して連設されて、本体用背面片４ａの内側に接着される内箱用背面片２３ａと、内箱用背面片２３ａの上端縁に切込線２５付き折目線を介して連設されると共に、右側面内板２１の後端縁や蓋用左側面片３ｂの後端縁に折目線を介して夫々連設されて、蓋用背面片４ｂの内側に接着される蓋用背面内片２３ｂとを備え、前記差込係止片１１は、本体用背面片４ａと内底板７とを連設する折目線に設けた差込用切込線１７や、蓋用背面片４ｂと内天板８とを連設する折目線に設けた差込用切込線１７に差込み可能に形成され、内箱体Ｃの左側面内板２２の前端縁上部には、蓋体Ｂの蓋用正面片１ｂ内表面に当接する突出縁部２６を形成し、前記破断予定線は、複数の分割切込線１４と複数の切残部１５とによって構成され、複数の分割切込線１４は、所定の想定直線に対して僅かな角度で夫々交差するような向きに配されると共に、切残部１５に於ける隣設する分割切込線１４の端部を結ぶ線が、蓋体Ｂの揺動方向に対して略平行となるような向きに配されるよう構成する手段を採用した。
【考案の効果】
【０００７】
従って、本考案の請求項１記載の組立包装箱によれば、本体用正面片１ａと正面内板２０、本体用右側面片２ａと右側面内板２１、本体用左側面片３ａと左側面内板２２、本体用背面片４ａと内箱用背面片２３ａ、外底板５と内底板７、外天板６と内天板８が夫々二重構造となり、より堅牢で、より耐久性の優れた組立包装箱となる。ひいては、手指に力を入れても変形し難く、開蓋操作が行い易いものとなる。しかも、構成が比較的簡素で、量産に適し、低廉に提供でき、組立てが容易で、取扱い易い経済的な組立包装箱となる。
【０００８】
特に、内箱体Ｃの左側面内板２２の前端縁上部には、蓋体Ｂの蓋用正面片１ｂ内表面に当接する突出縁部２６を形成したので、閉蓋状態にあるときは、突出縁部２６が蓋体Ｂの蓋用正面片１ｂ内表面に確実に当接するようになり、外箱本体Ａ及び内箱体Ｃに対する蓋体Ｂの閉蓋状態が安定するようになる。しかも、この状態から蓋体Ｂを揺動させると、左側面内板２２の上部が撓んで突出縁部２６が蓋用正面片１ｂ内表面を摺接するようになり、蓋体Ｂをスムーズに開蓋状態とすることができるようになる。
【０００９】
加えて、本体用右側面片２ａと蓋用右側面片２ｂ、及び本体用左側面片３ａと蓋用左側面片３ｂを夫々連設する破断予定線は、複数の分割切込線１４と複数の切残部１５とによって構成され、複数の分割切込線１４は、所定の想定直線に対して僅かな角度で夫々交差するような向きに配されると共に、切残部１５に於ける隣設する分割切込線１４の端部を結ぶ線が、蓋体Ｂの揺動方向に対して略平行となるような向きに配されるよう構成したので、切残部１５に於ける隣設する分割切込線１４の端部を結ぶ線部分に、蓋体Ｂを揺動させる力によってせん断方向の力が生じるようになり、切残部１５を比較的簡単に且つスムーズに破断させることができるようになる。すなわち、開蓋操作が誰でも行い易いものとなる。
【００１０】
また、本考案の請求項２記載の組立包装箱によれば、本体用正面片１ａと正面内板２０、本体用右側面片２ａと右側面内板２１、本体用左側面片３ａと左側面内板２２、本体用背面片４ａと内箱用背面片２３ａ、外底板５と内底板７、外天板６と内天板８、蓋用背面片４ｂと蓋用背面内片２３ｂが夫々二重構造となり、より堅牢で、より耐久性の優れた組立包装箱となる。ひいては、手指に力を入れても変形し難く、開蓋操作が行い易いものとなる。
更に、一枚のシート材によって構成することができるようになると共に、内箱用背面片２３ａを本体用背面片４ａに接着し、蓋用背面内片２３ｂを蓋用背面片４ｂに接着しておくだけで組立できるようになる。しかも、構成が比較的簡素で、量産に適し、低廉に提供でき、組立て容易で、取扱い易い経済的な組立包装箱となる。
【００１１】
特に、内箱体Ｃの左側面内板２２の前端縁上部には、蓋体Ｂの蓋用正面片１ｂ内表面に当接する突出縁部２６を形成したので、閉蓋状態にあるときは、突出縁部２６が蓋体Ｂの蓋用正面片１ｂ内表面に確実に当接するようになり、外箱本体Ａ及び内箱体Ｃに対する蓋体Ｂの閉蓋状態が安定するようになる。しかも、この状態から蓋体Ｂを揺動させると、左側面内板２２の上部が撓んで突出縁部２６が蓋用正面片１ｂ内表面を摺接するようになり、蓋体Ｂをスムーズに開蓋状態とすることができるようになる。
【００１２】
加えて、前記破断予定線は、複数の分割切込線１４と複数の切残部１５とによって構成され、複数の分割切込線１４は、所定の想定直線に対して僅かな角度で夫々交差するような向きに配されると共に、切残部１５に於ける隣設する分割切込線１４の端部を結ぶ線が、蓋体Ｂの揺動方向に対して略平行となるような向きに配されるよう構成したので、切残部１５に於ける隣設する分割切込線１４の端部を結ぶ線部分に、蓋体Ｂを揺動させる力によってせん断方向の力が生じるようになり、切残部１５を比較的簡単に且つスムーズに破断させることができるようになる。すなわち、開蓋操作が誰でも行い易いものとなる。
【考案を実施するための最良の形態】
【００１３】
以下、本考案を図示例に基づいて説明すると、次の通りである。
本考案は、一枚の適宜紙製シート材によって形成可能な組立包装箱で、略有底四角筒状となる外箱本体Ａと、この外箱本体Ａ内に収容される略四角筒状の内箱体Ｃと、外箱本体Ａの上部に切込線１３や破断予定線やヒンジ部となる折目線を介して連設されると共に、破断予定線を破断することにより外箱本体Ａの上部開口部分を開閉自在な蓋体Ｂとからなるものである。
そして、外箱本体Ａは、本体用正面片１ａと、本体用右側面片２ａと、本体用左側面片３ａと、本体用背面片４ａと、外底板５と、内底板７とを備え、また、蓋体Ｂは、本体用正面片１ａの上端に切込線１３を介して配される蓋用正面片１ｂと、本体用右側面片２ａの上端に破断予定線を介して連設される蓋用右側面片２ｂと、本体用左側面片３ａの上端に破断予定線を介して連設される蓋用左側面片３ｂと、本体用背面片４ａの上端にヒンジ部となる折目線を介して連設される蓋用背面片４ｂと、外天板６と、内天板８とを備え、更に、内箱体Ｃは、正面内板２０と、右側面内板２１と、左側面内板２２と、本体用背面片４ａの内側に接着される内箱用背面片２３ａとを備えたものである。
それから、内箱体Ｃの左側面内板２２の前端縁上部には、蓋体Ｂの蓋用正面片１ｂ内表面に当接する突出縁部２６を形成してある。
加えて、本体用右側面片２ａと蓋用右側面片２ｂ、及び本体用左側面片３ａと蓋用左側面片３ｂを夫々連設する破断予定線は、複数の分割切込線１４と複数の切残部１５とによって構成され、複数の分割切込線１４は、所定の想定直線に対して僅かな角度で夫々交差するような向きに配されると共に、切残部１５に於ける隣設する分割切込線１４の端部を結ぶ線が、蓋体Ｂの揺動方向に対して略平行となるような向きに配されるよう構成して、前記課題を達成できるようにする。
【実施例】
【００１４】
前記外箱本体Ａは、本体用正面片１ａと、この本体用正面片１ａの右側縁に折目線を介して連設される本体用右側面片２ａと、本体用正面片１ａの左側縁に折目線を介して連設される本体用左側面片３ａと、本体用右側面片２ａの後端縁に折目線を介して連設される本体用背面片４ａと、本体用正面片１ａの下端縁に折目線を介して連設される外底板５と、本体用背面片４ａの下端縁に差込用切込線１７付き折目線を介して連設されると共に、外底板５の内側に配される内底板７と、本体用右側面片２ａの下端縁に折目線を介して連設される折曲片９と、本体用左側面片３ａの下端縁に折目線を介して連設される折曲片１０と、外底板５の後端縁に折目線を介して連設される差込係止片１１と、内底板７の前端縁に折目線を介して連設される差込片１２とで構成されている。
【００１５】
更に、前記蓋体Ｂは、本体用正面片１ａの上端に切込線１３を介して配される蓋用正面片１ｂと、本体用右側面片２ａの上端に破断予定線を介して連設されると共に、蓋用正面片１ｂの右側縁に折目線を介して連設される蓋用右側面片２ｂと、本体用左側面片３ａの上端に破断予定線を介して連設されると共に、蓋用正面片１ｂの左側縁に折目線を介して連設される蓋用左側面片３ｂと、本体用背面片４ａの上端にヒンジ部となる折目線を介して連設されると共に、蓋用右側面片２ｂの後端縁に折目線を介して連設される蓋用背面片４ｂと、蓋用正面片１ｂの上端縁に折目線を介して連設される外天板６と、蓋用背面片４ｂの上端縁に差込用切込線１７付き折目線を介して連設されると共に、外天板６の内側に配される内天板８と、蓋用右側面片２ｂの上端縁に折目線を介して連設される折曲片９と、蓋用左側面片３ｂの上端縁に折目線を介して連設される折曲片１０と、外天板６の後端縁に折目線を介して連設される差込係止片１１と、内天板８の前端縁に折目線を介して連設される差込片１２とで構成されている。
【００１６】
尚、外箱本体Ａと蓋体Ｂの周胴部は、略矩形板状の正面外板１と、略矩形板状の右側面外板２と、略矩形板状の左側面外板３と、略矩形板状の背面外板４とで構成されており、正面外板１は、切込線１３を介して下方が本体用正面片１ａで、上方が蓋用正面片１ｂとなり、右側面外板２は、破断予定線を介して下方が本体用右側面片２ａで、上方が蓋用右側面片２ｂとなり、左側面外板３は、破断予定線を介して下方が本体用左側面片３ａで、上方が蓋用左側面片３ｂとなり、背面外板４は、折目線を介して下方が本体用背面片４ａで、上方が蓋用背面片４ｂとなるように構成してある。
【００１７】
また、前記内箱体Ｃは、本体用正面片１ａの内側に配される正面内板２０と、正面内板２０の右側縁に折目線を介して連設されると共に、本体用右側面片２ａの内側に配される右側面内板２１と、正面内板２０の左側縁に折目線を介して連設されると共に、本体用左側面片３ａの内側に配される左側面内板２２と、右側面内板２１の後端縁に折目線を介して連設されると共に、本体用左側面片３ａの後端縁に折目線を介して連設されて、本体用背面片４ａの内側に接着される内箱用背面片２３ａと、内箱用背面片２３ａの上端縁に切込線２５付き折目線を介して連設されると共に、右側面内板２１の後端縁や蓋用左側面片３ｂの後端縁に折目線を介して夫々連設されて、蓋用背面片４ｂの内側に接着される蓋用背面内片２３ｂとで構成されている。
すなわち、内箱体Ｃは、内箱用背面片２３ａと蓋用背面内片２３ｂが、本体用左側面片３ａと蓋用左側面片３ｂに折目線を介して連設されると共に、本体用背面片４ａと蓋用背面片４ｂに接着されることにより、外箱本体Ａや蓋体Ｂに接続されている。しかも、正面外板１と右側面外板２と左側面外板３と背面外板４夫々が略二重となるように形成され、組立包装箱自体の堅牢性や耐久性等を向上できるように形成されている。
尚、図中２３は、略矩形板状の背面内板で、この背面内板２３は、切込線２５付き折目線を介して下方が内箱用背面片２３ａで、上方が蓋用背面内片２３ｂとなるように構成してある。
【００１８】
前記外底板５と外天板６は、例えば、略矩形板状（例えば、正方形板状）に形成され、その後端縁には折目線を介して略半円板状の差込係止片１１が夫々連設されている。そして、差込係止片１１を連設している折目線の両端部分には、比較的短い切込線１６が夫々設けられており、差込用切込線１７に差込まれた差込係止片１１が簡単に抜けないように形成してある。
【００１９】
前記内底板７と内天板８は、例えば、略矩形板状（例えば、正方形板状）に形成され、外底板５や外天板６の内面に重なるように形成されている。更に、内底板７と内天板８の前端縁には折目線を介して略細長矩形板状の差込片１２が連設されている。尚、内底板７と内天板８を背面外板４に連設している折目線の中央部分には、略偏平Ｔ字状の差込用切込線１７が夫々設けられており、差込係止片１１が差込用切込線１７に差込み易くなるように形成してある。
また、内底板７に連設されている差込片１２は、本体用正面片１ａと内箱用背面片２３ａとの間に安定的に差込まれるように形成してある。
【００２０】
前記折曲片９、１０は、例えば、外箱本体Ａの下端開口部分や蓋体Ｂの上端開口部分をある程度塞ぐことができるような略台形板状に形成されている。すなわち、本考案の組立包装箱の底板部と天板部は、折曲片９、１０、外底板５、外天板６、内底板７、内天板８による三重構造となっており、かなり堅牢で、耐久性の優れたものとなっている。ひいては、組立包装箱の底板部と天板部を手指で強く掴んで力を加えても変形し難く、破断予定線をスムーズに破断できるようになる。
【００２１】
前記切込線１３は、例えば、正面外板１を高さ方向稍中央上方で本体用正面片１ａと蓋用正面片１ｂに分離するように、その左右側縁に及ぶような湾曲状の切断線によって構成されている。尚、切込線１３は、直線やその他の適宜形状の切断線によって構成したものでも良い。
【００２２】
前記破断予定線は、例えば、切込線１３の両端部分と、本体用背面片４ａと蓋用背面片４ｂの間の折目線の両端部分とを略直線的に結ぶように配されており、右側面外板２、左側面外板３の前端縁がわが低くなるような傾斜状態に形成されている。しかも、破断予定線は、複数（例えば、三本）の直線状分割切込線１４と、隣設する分割切込線１４の間に配される複数（例えば、二つ）の切残部１５とによって構成されている。
そして、複数の分割切込線１４は、所定の想定直線（例えば、切込線１３の両端部と背面外板４のヒンジ部となる折目線の両端部とを結ぶような直線）に対して僅かな角度で夫々交差するような向きに配されている。更に、切残部１５に於ける隣設する分割切込線１４の端部を結ぶ線が、ヒンジ部となる折目線を中心として揺動する蓋体Ｂの揺動方向に対して略平行となるような向きに配されている。すなわち、破断予定線を破断したときに、その破断線が略稲妻状となるように形成されている。
しかして、切残部１５に於ける隣設する分割切込線１４の端部を結ぶ線部分には、蓋体Ｂを揺動させる力によってせん断方向の力が生じるようになり、切残部１５を比較的簡単に且つスムーズに破断させることができるように構成してある。
尚、分割切込線１４は、曲線やその他の適宜形状の線によって構成したものでも良いし、その数も適宜自由に設定、変更できる。また、切残部１５の間隔や数も適宜自由に設定、変更できる。
【００２３】
前記正面内板２０は、例えば、上端部が円弧状となると共に、本体用正面片１ａより僅かに高い略矩形板状に形成され、正面外板１の内側に（本体用正面片１ａと、蓋用正面片１ｂの一部とに重なるように）配置されるようになる。
【００２４】
前記右側面内板２１は、例えば、前端上隅部が円弧状となるような略矩形板状に形成され、右側面外板２の内側に重なるように配置される。
【００２５】
前記左側面内板２２、例えば、前端上隅部が円弧状となるような略矩形板状に形成され、左側面外板３の内側に重なるように配置される。しかも、左側面内板２２の前端縁上部には、蓋体Ｂの蓋用正面片１ｂ内表面に当接するような突出縁部２６が突設されている。すなわち、この突出縁部２６は、破断予定線を一旦破断してから閉蓋状態としたときに、突出縁部２６が蓋体Ｂの蓋用正面片１ｂ内表面に当接して、外箱本体Ａ及び内箱体Ｃに対する蓋体Ｂの閉蓋状態を安定的に維持できるように形成したものである。尚、この閉蓋状態から蓋体Ｂを揺動させる（或いは、開蓋状態から閉蓋状態とすべく蓋体Ｂを揺動させる）と、左側面内板２２の上部（或いは全体）が撓むことにより、突出縁部２６（前端縁）が蓋用正面片１ｂ内表面を摺接できるようになり、蓋体Ｂがスムーズに開蓋状態（或いは閉蓋状態）となるように形成されている。
【００２６】
前記背面内板２３は、例えば、略矩形板状に形成され、背面外板４の内側に重なるように接着される。しかも、背面内板２３の上下端縁中央部分（内箱用背面片２３ａの下端縁中央部分と、蓋用背面内片２３ｂの上端縁中央部分）には、切欠凹部２４が夫々切設されており、この切欠凹部２４内に差込係止片１１が収まるように形成されている。すなわち、差込係止片１１部分が嵩張らないように配慮してある。
また、背面内板２３の上端部寄りに位置（背面外板４のヒンジ部となる折目線に合致するような位置）には、切込線２５付き折目線が設けてある。しかも、この切込線２５は、背面内板２３の左右端縁近傍まで切設されており、背面外板４のヒンジ部となる折目線のスムーズな動きを阻害しないように形成されている。
【００２７】
尚、本考案の組立包装箱は、その組立前にあっては、図７に示すようにコンパクトに折畳んでおけるよう形成されており、その保管や運搬が嵩張ることなく行えるよう形成してある。しかも、この折畳み状態から簡単に包装箱を組立できるよう構成してある。
【００２８】
ところで、組立包装箱の具体的構成、形状、寸法、材質、外箱本体Ａの具体的構成、形状、寸法、材質、蓋体Ｂの具体的構成、形状、寸法、材質、内箱体Ｃの具体的構成、形状、寸法、材質、正面外板１（本体用正面片１ａ、蓋用正面片１ｂ）の具体的構成、形状、寸法、材質、右側面外板２（本体用右側面片２ａ、蓋用右側面片２ｂ）の具体的構成、形状、寸法、材質、左側面外板３（本体用左側面片３ａ、蓋用左側面片３ｂ）の具体的構成、形状、寸法、材質、背面外板４（本体用背面片４ａ、蓋用背面片４ｂ）の具体的構成、形状、寸法、材質、外底板５の具体的構成、形状、寸法、材質、外天板６の具体的構成、形状、寸法、材質、内底板７の具体的構成、形状、寸法、材質、内天板８の具体的構成、形状、寸法、材質、折曲片９、１０の具体的構成、形状、寸法、材質、差込係止片１１の具体的構成、形状、寸法、材質、差込片１２の具体的構成、形状、寸法、材質、切込線１３の具体的構成、形状、寸法、配設位置、破断予定線の具体的構成、形状、寸法、配設位置、分割切込線１４の具体的構成、形状、寸法、配設位置、数、切残部１５の具体的構成、形状、寸法、配設位置、数、切込線１６の具体的構成、形状、寸法、配設位置、差込用切込線１７の具体的構成、形状、寸法、配設位置、正面内板２０の具体的構成、形状、寸法、材質、配設位置、右側面内板２１の具体的構成、形状、寸法、材質、配設位置、左側面内板２２の具体的構成、形状、寸法、材質、配設位置、背面内板２３（内箱用背面片２３ａ、蓋用背面内片２３ｂ）の具体的構成、形状、寸法、材質、切欠凹部２４の具体的構成、形状、寸法、配設位置、切込線２５の具体的構成、形状、寸法、配設位置、突出縁部２６の具体的構成、形状、寸法、配設位置等は、図示例のもの等に限定されることなく適宜自由に設定、変更できるものである。
【図面の簡単な説明】
【００２９】
【図１】本考案の組立包装箱を例示する展開図である。
【図２】本考案の組立包装箱を例示する斜視図である。
【図３】本考案の組立包装箱の蓋体を揺動させた状態を例示する斜視図である。
【図４】本考案の組立包装箱を例示する縦断側面図である。
【図５】本考案の組立包装箱を例示する部分縦断側面図である。
【図６】本考案の組立包装箱を例示する縦断正面図である。
【図７】本考案の組立包装箱の折畳み状態を例示する斜視図である。
【符号の説明】
【００３０】
Ａ      外箱本体
Ｂ      蓋体
Ｃ      内箱体
１      正面外板
１ａ    本体用正面片
１ｂ    蓋用正面片
２      右側面外板
２ａ    本体用右側面片
２ｂ    蓋用右側面片
３      左側面外板
３ａ    本体用左側面片
３ｂ    蓋用左側面片
４      背面外板
４ａ    本体用背面片
４ｂ    蓋用背面片
５      外底板
６      外天板
７      内底板
８      内天板
９      折曲片
１０    折曲片
１１    差込係止片
１２    差込片
１３    切込線
１４    分割切込線
１５    切残部
１６    切込線
１７    差込用切込線
２０    正面内板
２１    右側面内板
２２    左側面内板
２３    背面内板
２３ａ  内箱用背面片
２３ｂ  蓋用背面内片
２４    切欠凹部
２５    切込線
２６    突出縁部
【図１】
0003145804.tif 000003
【図２】
0003145804.tif 000004
【図３】
0003145804.tif 000005
【図４】
0003145804.tif 000006
【図５】
0003145804.tif 000007
【図６】
0003145804.tif 000008
【図７】
0003145804.tif 000009